(57)【要約】      （修正有）【課題】コネクタを小型化することができる。【解決手段】コネクタは、相手端子８０に設けられた接触面８１と対向する対向面２１を有する電気接触部材２０と、前記電気接触部材２０を保持するハウジングと、導電性線材６１が複数回巻回されたコイル状をなし、その中心軸Ａが前記電気接触部材２０の前記対向面２１と平行になる姿勢で前記ハウジング内に配置されて、前記相手端子８０と前記電気接触部材２０とが接近したときに前記接触面８１と前記対向面２１との間に挟まれる斜め巻きコイルスプリング６０と、前記斜め巻きコイルスプリング６０の両端部内に挿入状態となるよう前記ハウジングに設けられた保持軸７０とを備え、前記保持軸７０は、前記斜め巻きコイルスプリング６０が前記対向面２１に接する位置における前記斜め巻きコイルスプリング６０の中心軸Ａよりも前記対向面２１側に偏心した位置に設けられている。【選択図】図７
2018106819.tif 000002
【特許請求の範囲】
【請求項１】
相手端子に設けられた接触面と対向する対向面を有する電気接触部材と、
前記電気接触部材を保持するハウジングと、
導電性線材が複数回巻回されたコイル状をなし、その中心軸が前記電気接触部材の前記対向面と平行になる姿勢で前記ハウジング内に配置されて、前記相手端子と前記電気接触部材とが接近したときに前記接触面と前記対向面との間に挟まれる斜め巻きコイルスプリングと、
前記斜め巻きコイルスプリングの両端部内に挿入状態となるよう前記ハウジングに設けられた保持軸とを備え、
前記保持軸は、前記斜め巻きコイルスプリングが前記対向面に接する位置における前記斜め巻きコイルスプリングの中心軸よりも前記対向面側に偏心した位置に設けられているコネクタ。
【請求項２】
前記保持軸は、前記斜め巻きコイルスプリング内を貫通する一本の棒材からなっており、前記保持軸の両端部は、前記ハウジングに固定されている請求項１に記載のコネクタ。
【請求項３】
前記保持軸と前記電気接触部材の前記対向面との間の距離は、前記斜め巻きコイルスプリングを構成する導電性線材の外径寸法の１．１〜２倍に設定されている請求項１又は請求項２に記載のコネクタ。
【発明の詳細な説明】
【技術分野】
【０００１】
本明細書に開示される技術はコネクタに関する。
【背景技術】
【０００２】
コネクタは一対の端子を相互に嵌合させて接続する構成が一般的ではあるが、一対の端子間に導電性のコイルバネを横倒し状態に挟むように配置して端子間を接続する構成のコネクタも知られている（例えば、特開２００８−２０４６３４号公報（下記特許文献１））。具体的には、円柱状の端子の外周に溝を設け、その溝内に斜め巻きばねを配置する。この斜め巻きばねは、導電性のばね材からなる素線をその巻回軸に対して傾斜させてらせん状に巻回し、その巻回面が楕円形状となるようになっている。また、斜め巻きばねの素線の両端部を接合して全体として環状となった状態で溝内に配置されている。そして、円柱状の端子に円筒形の端子が外嵌することで、端子と端子の間に斜め巻きばねが挟み込まれて、端子同士の接続がされる。
【先行技術文献】
【特許文献】
【０００３】
【特許文献１】特開２００８−２０４６３４号公報
【発明の概要】
【発明が解決しようとする課題】
【０００４】
しかしながら、特開２００８−２０４６３４号公報（上記特許文献１）の端子では、斜め巻きばねを環状で用いており、環状の斜め巻ばねを位置決めするために、円柱形の軸や円筒形の内面に溝を形成することになり、コスト高であった。また、斜め巻きばねを環状にして用いているために、小型化が困難であった。
【課題を解決するための手段】
【０００５】
本明細書で開示されるコネクタは、相手端子に設けられた接触面と対向する対向面を有する電気接触部材と、前記電気接触部材を保持するハウジングと、導電性線材が複数回巻回されたコイル状をなし、その中心軸が前記電気接触部材の前記対向面と平行になる姿勢で前記ハウジング内に配置されて、前記相手端子と前記電気接触部材とが接近したときに前記接触面と前記対向面との間に挟まれる斜め巻きコイルスプリングと、前記斜め巻きコイルスプリングの両端部内に挿入状態となるよう前記ハウジングに設けられた保持軸とを備え、前記保持軸は、前記斜め巻きコイルスプリングが前記対向面に接する位置における前記斜め巻きコイルスプリングの中心軸よりも前記対向面側に偏心した位置に設けられている。
【０００６】
このコネクタにおいて、相手端子が電気接触部材側に接近すると、相手端子と電気接触部材との間で横倒し姿勢の斜め巻きコイルスプリングが圧縮され、斜め巻きコイルスプリングの各巻回面が倒れ込むような倒れ変形を生じつつ、斜め巻きコイルスプリングを介した相手端子と電気接触部材との間の電気接続が実現する。この構成では、相手端子の接近ストローク量が相違すると、電気接触部材と相手端子との距離変動を生じさせてしまうが、両者を直接に接触させるのではなく、斜め巻きコイルスプリングを介した電気接続としているから、上記の距離変動は斜め巻きコイルスプリングの倒れ変形の度合いが変化することで吸収され、比較的広い距離範囲で確実な電気接続が確保できる。
【０００７】
そして、このコネクタによれば、直線状の斜め巻きコイルスプリングを電気接触部材の対向面と平行になる横倒し姿勢で用いているから、斜め巻きコイルスプリングを環状にして用いる場合に比べて、小型化が可能になる。
【０００８】
ところで、このような直線状の斜め巻きコイルスプリングを電気接触部材と相手端子の間に挟み込んで圧縮する構成とすると、図８に示すように、上記の倒れ変形だけでなく、斜め巻きコイルスプリングの両端部が電気接触部材や相手端子から浮き上がってしまう浮き上がり変形も発生することが判明した。この浮き上がり変形が発生すると、斜め巻きコイルスプリングと電気接触部材や相手端子との接触箇所が減少することに起因する抵抗増大を生じることになる。
【０００９】
これに対して、本明細書に開示されるコネクタでは、斜め巻きコイルスプリングを保持する保持軸を斜め巻きコイルスプリングの両端部に配し、その保持軸を、斜め巻きコイルスプリングが電気接触部材の対向面に接する位置における斜め巻きコイルスプリングの中心軸よりも対向面側に偏心した位置に設けることとしたから、斜め巻きコイルスプリングの両端部において保持軸と対向面とが近接した位置関係になり、その結果、斜め巻きコイルスプリングの浮き上がり変形、ひいてはそれに起因する抵抗増大を抑制することができる。
【００１０】
なお、保持軸と対向面とが近接した位置関係とするには、保持軸の外径を斜め巻きコイルスプリングの内径に近い寸法とすることも考えられるが、そのような構成では、斜め巻きコイルスプリングの倒れ変形自体も制約されるため、斜め巻きコイルスプリングのばね性を活かした比較的広い距離範囲での電気接続を確保することが困難になる。
【００１１】
本明細書に開示されるコネクタの実施の態様として、以下の構成としてもよい。
前記保持軸は、前記斜め巻きコイルスプリング内を貫通する一本の棒材からなっており、前記保持軸の両端部は、前記ハウジングに固定されている構成としても良い。
【００１２】
保持軸が、斜め巻きコイルスプリングの間を貫通し、その両端部がハウジングに固定されることで、コネクタの製造時や、相手端子との接触時に、斜め巻きコイルスプリングが保持軸から外れることを抑制できる。
【００１３】
前記保持軸と前記電気接触部材の前記対向面との間の距離は、前記斜め巻きコイルスプリングを構成する導電性線材の外径寸法の１．１〜２倍に設定されている構成としても良い。
【００１４】
保持軸と電気接触部材の対向面との間の距離を上記のように設定すると、製造誤差や製造工数を考慮しつつ、斜め巻きコイルスプリングの浮き上がり変形を最小にすることができる。
【発明の効果】
【００１５】
本明細書に開示される端子によれば、斜め巻きコイルスプリングを用いて小型化することができる。
【図面の簡単な説明】
【００１６】
【図１】実施形態にかかるコネクタと相手コネクタの斜視図
【図２】コネクタの斜視図
【図３】コネクタの一部切り欠き斜視図
【図４】コネクタの分解斜視図
【図５】相手端子と接続前の状態での断面図
【図６】相手端子と接触した状態での断面図
【図７】相手端子と接続した状態での断面図
【図８】保持軸がない状態で、電気接触部材と相手端子とに斜め巻きコイルスプリングが押圧された状態での断面図
【００１７】
＜実施形態＞
実施形態を図１から図８の図面を参照しながら説明する。
本実施形態のコネクタ１０は、相手端子８０と突き当てられることで、電気的に接続される。コネクタ１０は、電気接触部材２０と、ハウジング３０と、斜め巻きコイルスプリング６０と、保持軸７０とを備えて構成されている。以下の説明では、図５における上側を上側とし、図５における下側（相手端子８０側）を下側として説明する。また、図５における左側を前側とし、図５における右側を後側とする。
【００１８】
電気接触部材２０は、図１及び図４に示すように、銅合金などの金属板材をプレス加工したものであって、平板状の板材が折り曲げられて、略Ｌ字状となっている。電気接触部材２０は、後記する相手端子８０に設けられた接触面８１に対向する対向面２１を有する本体部２３と、対向面２１と直交する配置で上方に立ち上がり、外部回路と接続される外部接続部２５とを有している。本体部２３は、前後方向が長辺で幅方向が短辺となる矩形状となっており、斜め巻きコイルスプリング６０の外形寸法よりも大きくなっている。本体部２３の下面が、対向面２１となっており、相手端子８０が近接した際に、斜め巻きコイルスプリング６０と接触する面となっている。外部接続部２５には、長孔状のボルト孔２７が設けられている。
【００１９】
ハウジング３０は、合成樹脂製であって、図３及び図４に示すように、幅方向に並ぶように複数の（本実施形態では３つ）電気接触部材２０を収容可能となっている。ハウジング３０は、電気接触部材２０と斜め巻きコイルスプリング６０とを収容可能なハウジング本体部３１と、ハウジング本体部３１の上面開口を覆うカバー部材３３と、ハウジング本体部３１とカバー部材３３とを係止する係止部材３５とを備えている。係止部材３５は、図１及び図４に示すように、係止板３７とネジ３９とからなっている。係止板３７は、後記するカバー部材３３の張り出し部５７を上方から覆い、ハウジング本体部３１に固定される。係止板３７は、ハウジング本体部３１の前後方向の寸法より若干短い程度の前後方向の寸法を有しており、その両端部にネジ３９を挿通するネジ挿通孔が設けられている。ネジ３９は、ハウジング本体部３１に設けられたネジ穴５３に固定される。
【００２０】
ハウジング本体部３１は、図２及び図４に示すように、左右方向が長辺となる平面視矩形状の角柱である。ハウジング本体部３１には、カバー収容部４１と、電気接触部材収容部４３と、コイル収容部４５と、相手端子収容部４７が設けられている。また、ハウジング本体部３１の上端部が左右方向外側に広がることで、フランジ部４９となっている。フランジ部４９には、金属製のカラー４９Ａがインサート成形されており、相手側ハウジング８５に固定するためのボルトを挿通可能となっている。
【００２１】
カバー収容部４１は、図３及び図４に示すように、ハウジング本体部３１（フランジ部４９）の上面から、カバー部材３３の板厚分（上下方向の寸法分）下側に窪んでおり、平面視略矩形状となっている。カバー収容部４１の左右方向の両端部には、後記するカバー部材３３の張り出し部５７が収容される張り出し部収容部４１Ａが設けられている。張り出し部収容部４１Ａは、前後方向に並ぶネジ穴５３の間に設けられており、カバー収容部４１の前後方向の中央位置に設けられている。
【００２２】
電気接触部材収容部４３は、図４及び図５に示すように、カバー収容部４１から下側に窪むようにして設けられており、各電気接触部材２０に対応するように幅方向に並んで設けられている。電気接触部材収容部４３は、電気接触部材２０の本体部２３の外形寸法よりも若干大きい内寸法となっており、上下方向の寸法は、電気接触部材２０の板厚より後記するカバー部材３３の押さえ部５９の上下方向の寸法分大きい。電気接触部材収容部４３の後面は、カバー収容部４１の後面と面一となっている一方、電気接触部材収容部４３の前面は、カバー収容部４１の前面の位置よりも若干後方に位置している。また、各電気接触部材収容部４３の間には、隔壁４３Ａが設けられており、電気接触部材２０同士を隔離している。
【００２３】
コイル収容部４５は、図３及び図４に示すように、電気接触部材収容部４３から下側に窪むようにして設けられており、各斜め巻きコイルスプリング６０に対応するように左右方向に並んで設けられている。コイル収容部４５の前後方向及び左右方向の内寸法は、斜め巻きコイルスプリング６０の外形寸法よりも大きく、電気接触部材２０の対向面２１及び相手端子８０の接触面８１の前後方向及び左右方向の寸法よりも小さい。また、コイル収容部４５の上下方向の寸法は、図７に示すように、斜め巻きコイルスプリング６０が相手端子８０に押圧されたときの上下方向の寸法よりも小さい。そのため、斜め巻きコイルスプリング６０が電気接触部材２０及び相手端子８０と接触する際に、電気接触部材２０及び相手端子８０とコイル収容部４５が接触する虞がない。また、コイル収容部４５には、保持軸７０が前後方向に貫通するように配されており、コイル収容部４５の前後方向の壁部には、保持軸７０を挿通する軸挿通孔４５Ａが貫通している。
【００２４】
相手端子収容部４７は、図２及び図７に示すように、コイル収容部４５の下方が拡幅することで設けられており、下方に開口している。相手端子収容部４７は、ハウジング本体部３１の下面から上方に窪んでいる。相手端子収容部４７は、相手端子８０の接触面８１の外形寸法よりも大きい内寸法となっており、斜め巻きコイルスプリング６０を押圧する相手端子８０の一部が進入する。また、相手端子収容部４７の下端位置は、自然状態の斜め巻きコイルスプリング６０の下端位置と同じか若干上方に位置している。つまり、自然状態での斜め巻きコイルスプリング６０は、コイル収容部４５と相手端子収容部４７とに収容されている。そして、カバー収容部４１と電気接触部材収容部４３とコイル収容部４５と相手端子収容部４７とは、上下方向に互いに連通することで、ハウジング本体部３１には、上下方向に開口した貫通孔が設けられている。
【００２５】
ハウジング本体部３１の後端部には、図４及び図５に示すように、電気接触部材収容部４３とカバー収容部４１の後壁から連設するようにして、後壁部５１が設けられている。後壁部５１は、電気接触部材２０の外部接続部２５の下端部をカバー部材３３とともに収容する。後壁部５１には、後記するカバー部材３３の仕切り部５８Ａと組み合わせられて、各外部接続部２５の間を仕切る仕切り壁５１Ａが設けられている。
【００２６】
カバー部材３３は、図４及び図５に示すように、電気接触部材２０を上方から覆っており、カバー収容部４１に収容される。カバー部材３３は、カバー本体部５５と、張り出し部５７と、カバー側後壁部５８と、押さえ部５９とを備えている。カバー本体部５５は、平面視矩形状であって、左右方向に並んだ電気接触部材２０の本体部２３を一括して覆っている。カバー収容部４１にカバー本体部５５が収容されると、カバー本体部５５の上面は、ハウジング本体部３１及びフランジ部４９との上面と面一となっている。
【００２７】
そして、カバー本体部５５の左右方向の両端部には、張り出し部５７が左右方向外側に突出するように設けられている。張り出し部５７の突出寸法は、係止板３７の幅寸法よりも小さくなっており、張り出し部５７全体が係止板３７に覆われる。そして、張り出し部収容部４１Ａに収容された張り出し部５７が、係止板３７に覆われて、係止板３７がネジ３９により固定されることで、カバー部材３３が係止部材３５によってハウジング本体部３１に固定される。
【００２８】
また、カバー本体部５５の後端部から上方に立ち上がるようにカバー側後壁部５８が設けられている。カバー側後壁部５８は、後壁部５１とともに外部接続部２５の下端部を収容する。そして、カバー側後壁部５８には、各外部接続部２５の間を仕切る仕切り部５８Ａが設けられている。仕切り部５８Ａには、上下方向に延びる溝が設けられており、この溝に後壁部５１の仕切り壁５１Ａが係合することで、仕切り部５８Ａと仕切り壁５１Ａとは、外部接続部２５の間の沿面距離を確保することができるラビリンス構造となっている。
【００２９】
そして、カバー本体部５５の下面には、押さえ部５９が設けられている。押さえ部５９は、各電気接触部材２０に対応するように設けられており、カバー本体部５５の下面から下方に突出している。押さえ部５９の外形寸法は、電気接触部材２０の本体部２３の外形寸法よりも小さく、斜め巻きコイルスプリング６０の外径寸法よりも大きい。そのため、斜め巻きコイルスプリング６０によって電気接触部材２０が押圧された際に、電気接触部材２０が上方に浮き上がろうとするのを押さえることができる。
【００３０】
斜め巻きコイルスプリング６０は、図３及び図５に示すように、導電性線材６１をその中心軸Ａに対してらせん状に巻回することで形成されており、全体として中心軸Ａに沿った直線状になっている。斜め巻きコイルスプリング６０では、導電性線材６１の中心軸Ａに対する傾きが、半周毎にその中心軸Ａに対する角度は異なるもののいずれも９０度以内に（同じ方向に倒れこむように）なっている。そして、斜め巻きコイルスプリング６０は、その端面（前方もしくは後方から見た面）において楕円形となっており、楕円形の短軸方向の両側から挟むように荷重をかけると、各導電性線材６１（巻回面）が中心軸Ａに対してさらに倒れこむような倒れ変形を生じつつ、斜め巻きコイルスプリング６０の上下寸法（中心軸Ａに垂直な方向での寸法）が小さくなるように変形する。
【００３１】
なお、斜め巻きコイルスプリング６０は、その変位量（ばねの上下寸法の変位量）を変化させても、ばね荷重があまり変化しない非線形領域を有している。電気接触部材２０に対する相手端子８０の接近ストローク量が相違すると、電気接触部材２０と相手端子８０との距離変動を生じさせてしまうが、両者を直接に接触させるのではなく、斜め巻きコイルスプリング６０を介した電気接続としているから、上記の距離変動は斜め巻きコイルスプリング６０の倒れ変形の度合いが変化することで吸収される。また、電気接触部材２０と相手端子８０との距離変動によって、斜め巻きコイルスプリング６０のばね荷重があまり変化しないことから、両者の斜め巻きコイルスプリング６０との接圧も安定し、比較的広い距離範囲で確実な電気接続が確保できる。
【００３２】
そして、斜め巻きコイルスプリング６０は、そのコイル軸Ａが対向面２１に沿って平行になる横倒し姿勢で配置されている。このような直線状の斜め巻きコイルスプリング６０を電気接触部材２０と相手端子８０の間に挟み込んで圧縮する構成とすると、図８に示すように、上記の倒れ変形だけでなく、斜め巻きコイルスプリング６０の両端部が電気接触部材２０や相手端子８０から浮き上がってしまう浮き上がり変形も発生することが判明した。この浮き上がり変形が発生すると、斜め巻きコイルスプリング６０と電気接触部材２０や相手端子８０との接触箇所が減少することに起因する抵抗増大を生じることになる。
【００３３】
そこで、図３及び図５に示すように、斜め巻きコイルスプリング６０内には、保持軸７０が挿入されている。保持軸７０は、ＳＵＳ製の一本の丸棒であって、斜め巻きコイルスプリング６０内を貫通する。そして、保持軸７０の中心軸が電気接触部材２０の対向面２１と平行になるように配置されている。保持軸７０の前後方向の寸法は、ハウジング本体部３１の前後方向の寸法よりも大きい。保持軸７０の直径は、押圧された状態の斜め巻きコイルスプリング６０の短軸の内寸よりも小さい。そして、保持軸７０は、その両端部がコイル収容部４５の軸挿通孔４５Ａに挿通され、外側でＣリング７１によってハウジング本体部３１に固定されている。
【００３４】
そして、保持軸７０は、斜め巻きコイルスプリング６０が電気接触部材２０の対向面２１に接する位置における斜め巻きコイルスプリング６０の中心軸Ａよりも対向面２１側に偏心した位置に設けられている。より具体的には、保持軸７０と電気接触部材２０の対向面２１との間の距離は、導電性線材６１の外径寸法の１．１〜２倍程度になっている。さらに好ましくは、保持軸７０と電気接触部材２０の対向面２１との間の距離は、導電性線材６１の外径寸法の１．２〜１．３倍程度になっている。
【００３５】
相手端子８０は、導電性の金属で形成されており、図４及び図５に示すように、上下方向に延びる板状部材が前方に略直角に曲げられることで略Ｌ字状に形成されている。相手端子８０のうち電気接触部材２０に対向する一端側の上面が接触面８１とされている。接触面８１の前後方向の寸法は、電気接触部材２０の対向面２１と同じとなっており、自然状態での斜め巻きコイルスプリング６０の前後方向の寸法よりも長くなっている。また、接触面８１の幅方向の寸法は、斜め巻きコイルスプリング６０の外径寸法よりも大きくなっている。相手端子８０は、左右方向に３つ並ぶように、相手側ハウジング８５にインサート成形されており、接触面８１が露出する。
【００３６】
本実施形態のコネクタ１０は、以上のような構成であって、その組み立て方法を説明する。
まず、保持軸７０の一端をコイル収容部４５の軸挿通孔４５Ａに挿通して、保持軸７０の一端がコイル収容部４５の内部に突出した状態とする。この状態で、斜め巻きコイルスプリング６０の内部に保持軸７０に挿通しつつ、保持軸７０コイル収容部４５の反対側まで押し込み、軸挿通孔４５Ａに挿通する。そして、保持軸７０の両端部でＣリング７１を止めることで、斜め巻きコイルスプリング６０と保持軸７０とをハウジング本体部３１の所定位置に配置する。こうして、保持軸７０が斜め巻きコイルスプリング６０を貫通した状態でハウジング本体部３１に固定されることで、コネクタ１０の組み立て時や、相手端子８０との接触時に、斜め巻きコイルスプリング６０が保持軸７０から外れることを抑制できる。
【００３７】
次に、各電気接触部材２０の本体部２３を各電気接触部材収容部４３に収容する。そして、カバー部材３３をカバー収容部４１に収容する。カバー部材３３の各押さえ部５９が電気接触部材２０の本体部２３の上面と接触することで、各電気接触部材２０の浮きを抑制する。そして、張り出し部収容部４１Ａに張り出し部５７が収容された状態で、係止部材３５の係止板３７が張り出し部５７を覆うようにして、ネジ３９をネジ穴５３に固定して、コネクタ１０が組み立てられる。こうして、直線状の斜め巻きコイルスプリング６０を用いてコネクタ１０を組み立てることで、コネクタ１０全体を小型化することができる。
【００３８】
組み立てられたコネクタ１０は相手端子８０が斜め巻きコイルスプリング６０に接触する前の状態では、図５に示すように、斜め巻きコイルスプリング６０は、保持軸７０の外周面が斜め巻きコイルスプリング６０の内周面と接触して保持されている。そして、保持軸７０が対向面２１と平行となっていることから、斜め巻きコイルスプリング６０の中心軸Ａが電気接触部材２０の対向面２１と平行になる姿勢で、斜め巻きコイルスプリング６０が保持軸７０によって保持されている。この際に、保持軸７０と電気接触部材２０の対向面２１との間の距離は、導電性線材６１の外径寸法の１．１〜２倍（より好ましくは１．２〜１．３倍）に設定されているから、斜め巻きコイルスプリング６０の外周面と電気接触部材２０の対向面２１との間の隙間は、ほとんどない状態となっている。
【００３９】
そして、図６に示すように、コネクタ１０と相手端子８０とが相対的に近づくと、相手端子８０の接触面８１が斜め巻きコイルスプリング６０の外周部に接触して、斜め巻きコイルスプリング６０の外周面が電気接触部材２０の対向面２１に接触する。この状態では、相手端子８０の接触面８１と電気接触部材２０の対向面２１との間に斜め巻きコイルスプリング６０の短軸が上下方向に挟まれる。
【００４０】
そして、図７に示すように、相手端子８０からの押圧力が斜め巻きコイルスプリング６０にかかると、斜め巻きコイルスプリング６０は中心軸Ａに対してさらに導電性線材６１が倒れ込むように倒れ変形する。また、倒れ変形する際に、斜め巻きコイルスプリング６０の両端部が電気接触部材２０や相手端子８０から浮き上がろうとする浮き上がり変形も発生する。
【００４１】
しかしながら、保持軸７０が斜め巻きコイルスプリング６０の両端部に挿通されているため、浮き上がった導電性線材６１の内周面が保持軸７０の外周面と接触し、それ以上の浮き上がり変形を抑制できる。具体的には、斜め巻きコイルスプリング６０の後端部においては、電気接触部材２０の対向面２１と保持軸７０が近接していることから、１〜２本分の導電性線材６１が対向面２１から離れた段階で、後端の導電性線材６１の内周面が保持軸７０と接触する。そのため、浮き上がり変形によって、対向面２１から離れる導電性線材６１の数が極めて少なくなる。一方、斜め巻きコイルスプリング６０の前端部においては、相手端子８０の相対移動に対応するために、相手端子８０の接触面８１と保持軸７０との間に距離がある。そのため、接触面８１から離れる導電性線材６１は、対向面２１から離れる数よりも多くなる。しかしながら、端部の導電性線材６１の内面が保持軸７０と接触することで、それ以上の浮き上がり変形を抑制し、接触面８１から離れる導電性線材６１の数を、保持軸７０がない場合と比べて抑制することができる。
【００４２】
そして、相手端子８０と電気接触部材２０とは斜め巻きコイルスプリング６０を介して電気的な接続状態となる。この際に、浮き上がり変形を抑制したことで、電気接触部材２０と相手端子８０は斜め巻きコイルスプリング６０との接点数を多く確保することができ、接触抵抗を低くできる。また、保持軸７０の外径寸法を倒れ変形に干渉しない寸法としていることで、相手端子８０と電気接触部材２０との距離変動による斜め巻きコイルスプリング６０の倒れ変形にも対応することができる。
【００４３】
以上のように、本実施形態のコネクタでは、相手端子８０が電気接触部材２０側に接近すると、相手端子８０と電気接触部材２０との間で横倒し姿勢の斜め巻きコイルスプリング６０が圧縮され、斜め巻きコイルスプリング６０の各巻回面が倒れ込むような倒れ変形を生じつつ、斜め巻きコイルスプリング６０を介した相手端子８０と電気接触部材２０との間の電気接続が実現する。
【００４４】
また、このコネクタ１０では、直線状の斜め巻きコイルスプリング６０を電気接触部材２０の対向面２１と平行になる横倒し姿勢で用いているから、斜め巻きコイルスプリング６０を環状にして用いる場合に比べて、小型化が可能になる。
【００４５】
さらに、直線状の斜め巻きコイルスプリング６０を挟み込んで圧縮することで生じる浮き上がり変形に対応するために、斜め巻きコイルスプリング６０の両端部に保持軸７０が挿通されている。保持軸７０と電気接触部材２０の対向面２１とを近接させることで、浮き上がり変形によって、対向面２１から離れる導電性線材６１の数を抑制している。また、保持軸７０の外径寸法を、倒れ変形した斜め巻きコイルスプリング６０の短軸方向の寸法よりも小さくすることで、斜め巻きコイルスプリング６０の倒れ変形に干渉しにくくしている。
【００４６】
＜他の実施形態＞
本明細書によって開示される技術は上記記述及び図面によって説明した実施形態に限定されるものではなく、例えば次のような種々の態様も含まれる。
（１）上記実施形態では、保持軸７０は、一本の丸棒が斜め巻きコイルスプリング６０内を貫通していたが、２つの棒材が両端部のみを保持していても良い。
【００４７】
（２）上記実施形態では、保持軸７０と電気接触部材２０の対向面２１の間の距離を導電性線材６１の外径の１．１〜２倍程度としたが、導電性線材６１の外径と同じでも良いし、２倍以上の距離としても良い。
【００４８】
（３）上記実施形態では、外部接続部２５がハウジング３０の外部に導出されることで外部回路と接続されていたが、外部回路と接続された電線を電気接触部材と接続することで、外部回路と接続しても良い。
【００４９】
（４）上記実施形態では、保持軸７０はＳＵＳ製とされていたが、真鍮等で設けられていても良い。また、保持軸７０は丸棒とされていたが、平板や角棒でも良いし、楕円状の丸棒でも良い。
【符号の説明】
【００５０】
１０…コネクタ
２０…電気接触部材
２１…対向面
３０…ハウジング
３１…ハウジング本体部
３３…カバー部材
４５…コイル収容部
４５Ａ…軸挿通孔
５５…カバー本体部
６０…斜め巻きコイルスプリング
６１…導電性線材
７０…保持軸
７１…Ｃリング
８０…相手端子
８１…接触面
８５…相手側ハウジング
Ａ…中心軸 
【図１】
2018106819.tif 000003
【図２】
2018106819.tif 000004
【図３】
2018106819.tif 000005
【図４】
2018106819.tif 000006
【図５】
2018106819.tif 000007
【図６】
2018106819.tif 000008
【図７】
2018106819.tif 000009
【図８】
2018106819.tif 000010